(57)【特許請求の範囲】
【請求項１】
ペットの首輪からペットタグおよび該ペットタグに連結されたファスナを支持するためのペットタグホルダであって、該ペットタグホルダは、主前壁と、反対側の主後壁と、主前壁と主後壁を相互連結する側縁壁と、頂縁壁と、底縁壁と、を含む可撓性且つ弾力性の本体を備えており、前記頂縁壁および前記底縁壁は、前記側縁壁と連続的であり、前記前壁と前記後壁を相互連結し、前記本体は、中空スリーブであって、該中空スリーブは、少なくとも１つのペットタグおよび前記ファスナを受け入れ、包囲するようになった内部キャビティを有する中空スリーブを構成しており、前記本体は、前記中空スリーブ内に前記ペットタグおよび前記ファスナを挿入するためのスロットを有し、前記ペットタグホルダは、前記頂縁壁から延びる突出部をさらに備えており、前記突出部は、前記ペットタグの前記ファスナを受け入れ、前記ファスナへの接近および連結を可能にするために前記本体の内部キャビティに入る開口を構成している、ペットタグホルダ。
【請求項２】
前記本体の材料は、半透明である、請求項１に記載のペットタグホルダ。
【請求項３】
前記スロットは、前記本体の底縁に沿って構成されている、請求項１に記載のペットタグホルダ。
【請求項４】
前記スロットは、底縁に隣接した前記前壁または前記後壁のいずれかに構成されている、請求項１に記載のペットタグホルダ。
【請求項５】
取り付け部材を有するペットの首輪と、
ペットタグホルダであって、該ペットタグホルダは、主前壁と、反対側の主後壁と、主前壁と主後壁を相互連結する側縁壁と、頂縁壁と、底縁壁と、を含む可撓性且つ弾力性の本体を備えており、前記頂縁壁および前記底縁壁は、前記側縁壁と連続的であり、前記前壁と前記後壁を相互連結し、前記本体は、中空スリーブであって、該中空スリーブは、少なくとも１つのペットタグおよび該ペットタグに連結されたペットタグファスナを受け入れ、包囲するようになった内部キャビティを有する中空スリーブ、および、前記中空スリーブ内に前記ペットタグおよび前記ファスナを挿入するためのスロットを構成しており、前記ペットタグホルダは、前記頂縁壁から延びる突出部をさらに備えており、前記突出部は、前記ペットタグの前記ファスナを受け入れ、前記ファスナへの接近および連結を可能にするために前記本体の内部キャビティに入る開口を構成している、ペットタグホルダと、の組み合わせ。
【請求項６】
前記本体の材料は、半透明である、請求項５に記載の組み合わせ。
【請求項７】
前記スロットは、前記本体の底縁に沿って構成されている、請求項５に記載の組み合わせ。
【請求項８】
前記スロットは、底縁に隣接した前記前壁または前記後壁のいずれかに構成されている、請求項５に記載の組み合わせ。
【請求項９】
前記ペットタグホルダは、前記スロットよりも大きいペットタグを受け入れるようになっている、請求項５に記載の組み合わせ。
【発明の詳細な説明】
【技術分野】
【０００１】
本願は、Philip J. Blizzardを発明者とする“TAG HOLDER”という名称の２０１５年９月４日に出願された米国仮出願第62/214,460号に関連する。この仮出願の内容は、出典を明示することによってその全体が本願の一部とされ、この仮出願の出願日の利益は、かかる出願日の利益の主張によって法的に与えられるすべての目的のために主張される。
【０００２】
ペットの首輪に取り付けるためのペットタグホルダが記載され、さらに詳しくは、タグがガタガタ鳴るのを防止しながら１つ以上のタグをしっかりと収容するためのペットタグホルダ、および、ペットの首輪にタグをしっかりと取り付けるための手段が提供される。
【背景技術】
【０００３】
ペットタグは、所望の強度および耐久性を与えるために、金属または硬質プラスチックのような剛性材料でできた種々の形状に商業的に作られる。タグは、通常、Ｓ字形フックまたはリングを使用してペットの首輪上のリングに取り付けられる。ペットタグは、ペットが動くときにはいつでも必然的にガタガタ鳴り、タグは、硬い物体に衝突し、あるいは、互いにぶつかって、望ましくない不快な騒音を発生させる。
【発明の概要】
【発明が解決しようとする課題】
【０００４】
上記の理由により、タグの運動および衝突によって発生される音を防止しながら、ペットの首輪から１つ以上のペットタグを収容するための新しいペットタグホルダに対する必要がある。
【課題を解決するための手段】
【０００５】
ペットの首輪から穴を有するペットタグを支持するためのペットタグホルダが記載される。このペットタグホルダは、主前壁と、反対側の主後壁と、主前壁と主後壁を相互連結する側縁壁と、頂縁壁と、底縁壁と、を含む可撓性の弾力性本体を備える。頂縁壁および底縁壁は、側縁壁と連続的であり、前壁と後壁を相互連結する。本体は、中空スリーブであって、該中空スリーブは、少なくとも１つのペットタグを受け入れ、包囲するようになった内部キャビティを有する中空スリーブ、および、該中空スリーブ内にタグを挿入するためのスロットを構成している。
【０００６】
取り付け部材を有するペットの首輪と、ペットタグホルダと、の組み合わせが記載される。このペットタグホルダは、主前壁と、反対側の主後壁と、主前壁と主後壁を相互連結する側縁壁と、頂縁壁と、底縁壁と、を含む可撓性の弾力性本体を備えており、前記頂縁壁および前記底縁壁は、前記側縁壁と連続的であり、前記前壁と前記後壁を相互連結する。前記本体は、中空スリーブであって、該中空スリーブは、少なくとも１つのペットタグを受け入れ、包囲するようになった内部キャビティを有する中空スリーブ、および、前記中空スリーブ内にタグを挿入するためのスロットを構成している。
【０００７】
１つの観点では、前記本体の材料は、半透明である。
【０００８】
もう１つの観点では、前記スロットは、前記本体の底縁に沿って、または、底縁に隣接した前壁若しくは後壁のいずれかに構成されている。
【０００９】
別の観点では、前記本体は、ペットタグホルダまたはペットタグを首輪に連結するようになった開口を構成している。前記開口は、ペットタグホルダによって少なくとも部分的に包囲されたタグに接近するために前記本体の頂縁に沿って構成されているのがよい。代替的には、前記開口は、前記本体の前記前壁および前記後壁を貫通し、前記少なくとも１つのペットタグの前記穴と整合するように構成されているのがよい。
【００１０】
さらに別の観点では、前記ペットタグホルダは、前記スロットよりも大きいペットタグを受け入れるようになっている。
【００１１】
前記ペットホルダは、ペットの首輪に該ペットタグホルダを取り付けるための手段をさらに備えているのがよい。
【００１２】
ペットタグホルダのより完全な理解のために、添付の図面に示され、以下に記載される実施形態を参照すべきである。
【図面の簡単な説明】
【００１３】
【図１】ペットタグホルダの１つの実施形態の頂面斜視図である。
【図２】図１に示されたペットタグホルダの底面斜視図である。
【図３】図１に示されたペットタグホルダの正面立面図である。
【図４】図１に示されたペットタグホルダの背面立面図である。
【図５】図１に示されたペットタグホルダの右側面立面図である。
【図６】図１に示されたペットタグホルダの左側面立面図である。
【図７】図１に示されたペットタグホルダの頂面図である。
【図８】図１に示されたペットタグホルダの底面図である。
【図９】ペットタグホルダのもう１つの実施形態の頂面斜視図である。
【図１０】図９に示されたペットタグホルダの底面斜視図である。
【図１１】図９に示されたペットタグホルダの正面立面図である。
【図１２】図９に示されたペットタグホルダの背面立面図である。
【図１３】図９に示されたペットタグホルダの右側面立面図である。
【図１４】図９に示されたペットタグホルダの左側面立面図である。
【図１５】図９に示されたペットタグホルダの頂面図である。
【図１６】図９に示されたペットタグホルダの底面図である。
【図１７】ペットタグホルダ内に部分的に挿入されたペットタグホルダの写真である。
【図１８】ペットタグホルダ内に完全に挿入されたペットタグホルダの写真である。
【図１９】ペットタグホルダ内に完全に挿入されたＳ字フックを含むペットタグホルダの写真である。
【図２０】ペットタグホルダの第３の実施形態の頂面斜視図である。
【図２１】図２０に示されたペットタグホルダの底面斜視図である。
【図２２】図２０に示されたペットタグホルダの正面立面図である。
【図２３】図２０に示されたペットタグホルダの背面立面図である。
【図２４】図２０に示されたペットタグホルダの右側面立面図である。
【図２５】図２０に示されたペットタグホルダの左側面立面図である。
【図２６】図２０に示されたペットタグホルダの頂面図である。
【図２７】図２０に示されたペットタグホルダの底面図である。
【図２８】部分的に挿入されたペットタグを有する図２０に示されたペットタグホルダの斜視図である。
【図２９】図２８に示されたペットタグホルダ内に完全に挿入されたペットタグの斜視図である。
【発明を実施するための形態】
【００１４】
いくつかの用語は、本願では、便宜のためにのみ使用されており、制限的であると取られるべきではない。例えば、「上」、「下」、「左」、「右」、「水平」、「鉛直」、「上向き」、「下向き」、「頂」、「底」のような語は、図に示された構成を記載するにすぎない。実際、構成要素は、任意の方向に配向することができ、したがって、用語は、特に別の仕方で特定されなければ、かかる変形物を包含するものとして理解されるべきである。語「内部」および「外部」は、コア(the core)の幾何学的中心に近づく、および、から遠ざかる方向、並びに、その指定された部分をいう。用語は、特に上記された語、その派生語、および、類似の輸入語を含む。
【００１５】
図面を参照すると、同じ参照番号は、いくつかの図に亘って対応するまたは同様な要素を指示し、ペットタグホルダの１つの実施形態が、図１−図８に示され、全体的に参照番号２０で指示されている。タグホルダ２０は、主前壁２４と、それと反対側の主後壁２６と、を含む可撓性の本体２２を備えている。前壁２４および後壁２６は、側縁壁２８、並びに、該側縁壁２８と連続的である頂縁壁３０および底縁壁３２によって相互連結されている。タグホルダ２０の本体２２は、１つ以上のペットタグ４０を受け入れるための内部キャビティ３３を有する中空スリーブを構成している。中空スリーブ内にタグ４０を挿入するためのスロット３４が、タグホルダ２０の本体２２に設けられている。開口３６が、頂縁壁３０の中央に沿って設けられている。１つ以上のペットタグが、スロット３４を通して中空スリーブ内に挿入され、タグ４０に取り付けられたタグファスナ４４のような取り付け手段によってペットの首輪４２に取り付けられる。図１８および図１９に示されているように、タグファスナ４４は、本体２２の頂縁壁３０の開口３６を貫通し、この開口３６から延びている。タグホルダ２０は、ガタガタ鳴らないようにタグをホルダ内に取り付けながら、タグ４０を完全に包囲している。
【００１６】
ペットタグホルダ２０は、軟質で可撓性の、弾力性半透明プラスチック、ゴム、あるいは他のポリマー材料から形成されるのがよい。軟質プラスチック材料は、タグホルダ２０が他の物体と接触することによって発生されることのある音を減衰するのを助ける。好ましくは、ペットタグホルダ２０は、タグホルダ２０からタグ４０を取り出す必要なく包囲されたタグ４０を読むことができるようにするように、透明または半透明の材料で作られている。タグホルダ２０は、成型プラスチックで単一部品として形成されるのがよいが、調節の自由度のために重要な領域での可撓性、および、タグホルダ２０の機能の耐久性にとって重要な他の領域での半剛性を可能にする特別な形態に形成されてもよい。革、耐久性ファブリック等を含む、ペットの活動に耐えることができる他の可撓性かつ耐久性の材料を使用してもよい。ペットタグホルダの範囲は、本願に列挙された材料によって限定されることは意図されておらず、本願に記載された保護装置の製作および作動を可能にする任意の材料を使用して実施されることができることが理解される。
【００１７】
ペットタグホルダ２０は、所定のペットタグ４０を収容するために、任意の種々の形状、幅、および、厚さをもつようにされてもよい。示されている実施形態では、タグホルダ２０は、形状が矩形である。タグホルダ２０は、正方形、長円形、丸形等の任意の他の形状を取ってもよいことが理解される。
【００１８】
図１−図８に示されているペットタグホルダ２０の１つの実施形態では、スロット３４は、本体２２の底縁壁３２に形成されている。スロット３４は、実質的に本体２２の幅であり、ペットタグ４０のための接近を可能にする。スロット３４は、ペットタグ４０が、本体２２によって形成されたスリーブ内に配置されることを可能にする。本体２２の可撓性および弾力性は、挿入後スロットを閉じ、密封する。図９−図１６を参照すると、ペットタグホルダ２０のもう１つの実施形態では、スロット３４は、ペットタグ４０を受け入れるために底縁壁３２に隣接した本体２２の前壁２４を通して形成されている。スロット３４は、タグ４０が、包囲されたスリーブ内に容易に配置されることを可能にする。両方の実施形態では、スロット３４は、直線的に示されているけれども、タグ４０がスリーブ内にしっかりと配置されることを可能にするいくつかの形状のうちの任意の形状であってよい。１つの実施形態では、スロット３４は、タグ４０がタグホルダ２０から分離される可能性を最小にするように構成されている。例えば、スロット３４の幅は、本体２２の幅よりも小さいのがよい。
【００１９】
漏斗形突出部５０が、ペットタグホルダ２０の本体２２の頂縁壁３０に沿って成形されており、頂縁壁３０から外方に延びて示されている。タグホルダ２０の頂縁壁３０の中央開口３６は、ペットの首輪４２に連結するための１つ以上のタグファスナ４４を通すために突出部５０を通して設けられている。開口３６は、Ｓ字フックまたは金属スプリットリングを含む、タグ４０の端上のファスナ４４を収容するが、他の型式のペットタグファスナ４４も使用することができる。開口３６は、ペットタグホルダ２０がペットの首輪４２から吊り下げられることを可能にするように構成されている。タグファスナ４４を、ペットタグホルダ２０を貫通させることで、タグ４０がタグホルダ２０から分離される危険が減少される。タグホルダ２０の材料の弾力性および可撓性は、異なる型式および寸法のファスナ４４がスリーブおよび開口３６を貫通することを可能にすることが理解される。
【００２０】
使用において、ペットタグ４０をペットタグホルダ２０内に挿入するために、例えば、親指と人差し指の間で側壁２８を圧搾することによって、側壁２８を互いに向けて押圧する。側壁２８を互いに向けて移動させることによって、前壁２４と後壁２６は、互いに離れる方に押圧され、スロット３４を拡大させて開放し、それによって、スリーブによって構成されたキャビティ３３内にスロット３４を通してペットタグ４０を挿入することを可能にする。タグファスナ４４が、頂縁壁３０のファスナ開口３６を通して延びるまで（図１８および図１９）、タグ４０を、タグホルダ２０の本体２２によって形成されたキャビティ３３（図１７）内に挿入する。かくして、ペットタグファスナ４４は、ペットの首輪４２に係合できるようになる。一旦側壁２８を解放すると、タグホルダ２０は、元の形状に向かって移動し、それによって、ペットタグ４０は、スリーブ内に取付けられる。タグホルダ２０は、弾力性の可撓性材料から作られているので、タグホルダ２０は、スロット３４よりも大きい、あるいは、本体２２とは異なる形状にされたペットタグ４０の挿入を可能にする。タグホルダ２０は、ペットタグ４０をしっかりと取り付けるのに必要な圧縮を可能にするようにある程度変形する。
【００２１】
図２０−図２７に示されているもう１つの実施形態では、全体が参照番号８０で指示されているペットタグホルダが、主前壁２４と、反対側の主後壁２６と、を含む可撓性の本体２２を備える。前壁２６および後壁２８は、側縁壁２８、並びに、側縁壁２８と連続的である頂縁壁３０および底縁壁３２によって相互連結されている。タグホルダ２０の本体２２は、１つ以上のペットタグ４０を受け入れ、包囲するための内部キャビティ３３を有する中空スリーブを構成している。中空スリーブ内にタグ４０を挿入するためのスロット３４が、タグホルダ２０の本体２２に設けられている。この実施形態では、頂縁壁３０に沿って開口が設けられていない。むしろ、主前壁２４および主後壁２６を通して、開口８２が設けられている。首輪４２に取り付けるためのタグファスナ４４に取り付けるために、ペットタグ４０の開口は、ペットタグホルダ８０の開口８２と整合する。
【００２２】
次いで、使用者は、典型的には、タグファスナ４４を、首輪４２に一体化された金属リング４３、または他の連結装置に取り付けることによって、ペットタグ４０およびタグホルダ２０をペットの首輪４２に取り付ける。典型的には、ほとんどの標準的なペットの首輪４２は、Ｄリングのようなある種の非開放性取り付け部材を含むが、他の型式の取り付け部材を備えたペットの首輪の使用も考えられる。
【００２３】
上記の記載は、単一のペットタグ４０の保護を記載するけれども、ペットタグホルダ２０は、単一のペットタグホルダ２０内の多数のペットタグの挿入および保護も考えていることが理解される。
【００２４】
ペットタグホルダ２０は、ペットタグの多数の商業的寸法、形状、厚さ、および、数を完全に静かに満足に保持するのに十分に調節可能または自由度をもつ。ペットタグホルダ２０は、種々の首輪寸法上で猫または犬によって心地よく着用されることができる。タグホルダ２０は、ペットタグ４０への接近を容易にし、集積された汚れ、水等の除去を容易にする。さらに、ペットタグホルダ２０の半透明の材料は、各ペットタグに含まれる情報を見る人のために、ペットタグ４０への接近を容易にする。
【００２５】
少ない２、３の例示的な実施形態のみを参照してペットタグホルダを相当詳細に示し、記載してきたけれども、これまでの教示に特に照らして、ペットタグホルダの新規な教示および利点を実質的に逸脱することなく、開示された実施形態に対し、種々の変更、省略、および、付加を行うことができるので、当業者は、出願人が、ペットタグホルダを、示され、記載された実施形態に限定することを意図しないことを理解すべきである。したがって、出願人は、以下の特許請求の範囲に記載されたペットタグホルダの精神および範囲内に含まれ得るかかるすべての変更、省略、および、付加に及ぶことを意図している。以下の特許請求の範囲において、手段プラス機能条項(means-plus-function clauses)は、記載された機能を実行する本願に記載された構造、および、構造的均等物のみならず均等な構造にも及ぶことが意図される。かくして、くぎとねじは、くぎが木製部品を互いに固定するために円筒面を使用するのに対して、ねじが螺旋面を使用する点で、構造的均等物とはなり得ないけれども、木製部品を留める環境では、くぎとねじは、均等な構造であり得る。
【符号の説明】
【００２６】
２０  ペットタグホルダ
２２  可撓性の本体
２４  主前壁
２６  主後壁
２８  側縁壁
３０  頂縁壁
３２  底縁壁
３３  内部キャビティ
３４  スロット
３６  開口
４０  ペットタグ
４２  ペットの首輪
４３  金属リング
４４  タグファスナ
５０  漏斗形突出部
８０  ペットタグホルダ
８２  開口
【図１】
0006615073.tif 000002
【図２】
0006615073.tif 000003
【図３】
0006615073.tif 000004
【図４】
0006615073.tif 000005
【図５】
0006615073.tif 000006
【図６】
0006615073.tif 000007
【図７】
0006615073.tif 000008
【図８】
0006615073.tif 000009
【図９】
0006615073.tif 000010
【図１０】
0006615073.tif 000011
【図１１】
0006615073.tif 000012
【図１２】
0006615073.tif 000013
【図１３】
0006615073.tif 000014
【図１４】
0006615073.tif 000015
【図１５】
0006615073.tif 000016
【図１６】
0006615073.tif 000017
【図１７】
0006615073.tif 000018
【図１８】
0006615073.tif 000019
【図１９】
0006615073.tif 000020
【図２０】
0006615073.tif 000021
【図２１】
0006615073.tif 000022
【図２２】
0006615073.tif 000023
【図２３】
0006615073.tif 000024
【図２４】
0006615073.tif 000025
【図２５】
0006615073.tif 000026
【図２６】
0006615073.tif 000027
【図２７】
0006615073.tif 000028
【図２８】
0006615073.tif 000029
【図２９】
0006615073.tif 000030